(57)【要約】【課題】空気調和機の室内側風吹き出し口の結露を防止するとともに、出きるだけ長く使用者の設定した風向を維持することにより、使用者の意図に拘らず冷風が直接身体に当たることを防止する。【解決手段】設定温度を決定するリモコンと、室内側吸込み空気温度を検知する室内側空気吸込み温センサと、室外側吸込み空気温度を検知する室外側空気吸込み温センサと、室内送風ファンと、室内側吹出し口に風向を制御する風向制御羽根を持ち、前記室外側吸込み空気温度が所定の値以下となり、且つ前記ファン速度が所定の回転数以下を所定時間継続した時、露付き防止制御を行う空気調和機において、リモコン設定温度と室内側空気吸込み温度を用いて室内側負荷を算出し、前記室内側負荷が所定の値以上になった時、室内側の風向制御羽根を変更する【選択図】図１
2005257192.tif 000002
【特許請求の範囲】
【請求項１】
設定温度を決定するリモコンと、室内側吸込み空気温度を検知する室内側空気吸込み温センサと、室外側吸込み空気温度を検知する室外側空気吸込み温センサと、室内送風ファンと、室内側吹出し口に風向を制御する風向制御羽根を持ち、前記室外側吸込み空気温度が所定の値以下となり、且つ前記室内送風ファン速度が所定の回転数以下を所定時間継続した時、露付き防止制御を行う空気調和機において、リモコン設定温度と室内側空気吸込み温度により室内側負荷を算出し、前記室内側負荷が所定の値以上になった時、室内側の風向制御羽根を変更することを特徴とした空気調和機。
【請求項２】
室内側負荷を高負荷領域・中負荷領域・低負荷領域の３つの領域に分割し、算出した室内側負荷が前記中負荷領域に入った時、風向制御羽根の角度を第１の羽根角度に設定し、室内側負荷が前記高負荷領域に入った時、風向制御羽根の角度を第２の羽根角度に設定することを特徴とした、請求項１記載の空気調和機。
【請求項３】
室内側負荷をリモコン設定温度と室内側吸込み空気温度を用いて算出する事を特徴とした、請求項１〜３のいずれか１項に記載の空気調和機。
【発明の詳細な説明】
【技術分野】
【０００１】
本発明は、露付き防止制御を搭載した空気調和機に関するものである。
【背景技術】
【０００２】
図８は、特許文献１に記載された従来の空気調和機の構成図である。図８に示すように従来の空気調和機は、制御装置５、室内機６、室内側風向制御羽根４、室内側吸込み温度センサ７、室外側吸込み温度センサ８、圧縮機９、リモコン受信部１０からなり、リモコン１１からの受信データと吸込み温度センサ７・８からの情報に基づいて制御装置５が、送風機モータや風向制御羽根駆動用の各アクチュエータ（図示せず）を制御している。
【０００３】
そして、この構成において、以下のような制御が行われている。図６は従来の空気調和機の露付き防止制御のタイムチャートである。
【０００４】
従来、空気調和機に搭載した露付き防止制御は、露付き条件が成立したとき、すなわち、室外側吸込み温度センサが所定温度未満を検知し、かつ、室内ファン速度が所定値以下を一定時間連続した場合、風向制御羽根を所定位置に固定し、吹出し風の主流の中に風向制御羽根が十分に包み込まれ、風の流れが風向制御羽根の表面から剥離することのないように制御していた。例えば風向制御羽根が上限の角度すなわち上向き方向に設定されている状態で露付き制御が働いた場合、より下向きの方向に風向制御羽根の向きが変更されていた（例えば特許文献１参照）。
【特許文献１】特開平１１−２３０５９９号公報
【発明の開示】
【発明が解決しようとする課題】
【０００５】
しかしながら、前記従来の構成では、露付き条件が成立して一定時間連続すると、部屋の温度に拘らず露付き防止制御となっていた。そして、部屋の温度が低くて結露が起こりにくい場合でも、使用者の意図に拘らず室内ユニットの風向制御羽根角度を所定値に固定してしまう為、直接風を避ける方向に風向制御羽根角度を設定したにも拘らず直接冷風が当たることとなり、不快感の原因になっていた。
【０００６】
また、老人・幼児・病人等の身体的弱者においては、直接冷風が当たることにより体温が奪われ、体力の低下を招くという課題を有していた。
【０００７】
本発明はこのような従来の課題を解決するものであり、吹き出し口の結露を防止するとともに、出きるだけ長く使用者の設定した風向を維持することにより、使用者の意図に拘らず冷風が直接身体に当たることを防止した空気調和機を提供することを目的とする。
【課題を解決するための手段】
【０００８】
前記課題を解決するために本発明の空気調和機は、設定温度を決定するリモコンと、室内側吸込み空気温度を検知する室内側空気吸込み温センサと、室外側吸込み空気温度を検知する室外側空気吸込み温センサと、室内送風ファンと、室内側吹出し口に風向を制御する風向制御羽根を持つ空気調和機において、前記室外側吸込み空気温度が所定の値以下となり、且つ前記ファン速度が所定の回転数以下を所定時間継続した時、露付き防止制御を行う空気調和機であって、リモコン設定温度と室内側吸込み空気温度により室内側負荷を算出し、前記室内側負荷が所定の値以上になった時、室内側の風向制御羽根を変更するもので、この構成をなすことにより、使用者の設定した羽根角度を出来るだけ長く維持し、風向制御羽根が使用者の方に向いて直接風が当たる機会を極力少なくし、快適性を向上す
ることができる。
【発明の効果】
【０００９】
本発明の空気調和機は、不要な条件でも露付き防止制御に入り、使用者が直接風を避ける位置に風向きを設定したにも拘らず冷風が当たることとなり、老人・幼児・病人等の身体的弱者においては、冷風により体温が奪われることになり体力の低下を招くといった不具合をなくすことができる。
【発明を実施するための最良の形態】
【００１０】
第１の発明は、設定温度を決定するリモコンと、室内側吸込み空気温度を検知する室内側空気吸込み温センサと、室外側吸込み空気温度を検知する室外側空気吸込み温センサと、室内送風ファンと、室内側吹出し口に風向を制御する風向制御羽根を持つ空気調和機において、前記室外側吸込み空気温度が所定の値以下となり、且つ前記ファン速度が所定の回転数以下を所定時間継続した時、露付き防止制御を行う空気調和機であって、リモコン設定温度と室内側吸込み空気温度により室内側負荷を算出し、前記室内側負荷が所定の値以上になった時、室内側の風向制御羽根を変更するもので、この構成によれば、部屋の温度が高く結露が起こりやすい条件では、露付き条件成立から短時間で露付き防止制御を行い、部屋の温度が低く結露が起こりにくい条件では、露付き条件成立から長時間で露付き防止制御を行うことにより、直接風を避ける位置に風向きを設定したにも拘らず冷風が当たることとなり、老人・幼児・病人等の身体的弱者においては、冷風により体温が奪われることになり体力の低下を招くといった不具合をなくすという効果を奏する。
【００１１】
第２の発明は、室内側負荷を高負荷領域・中負荷領域・低負荷領域の３つの領域に分割し、算出した室内側負荷が前記中負荷領域に入った時、風向制御羽根の角度を第１の羽根角度に設定し、室内側負荷が前記高負荷領域に入った時、風向制御羽根の角度を第２の羽根角度に設定するもので、この構成によれば、部屋の温度が高く結露が起こりやすい条件では、風向制御羽根の角度を結露防止に最も効果のある羽根角度に設定し、部屋の温度が低く比較的結露が起こりにくい条件では、風向制御羽根の角度を前記よりも上向きの羽根角度に設定することにより、直接風を避ける位置に風向きを設定したにも拘らず冷風が当たることとなり、老人・幼児・病人等の身体的弱者においては、冷風により体温が奪われることになり体力の低下を招くといった不具合をなくするという効果を奏する。
【００１２】
第３の発明は、室内側負荷をリモコン設定温度と室内側吸込み空気温度を用いて算出するもので、この構成によれば、部屋の設定温度により、使用者の設定した羽根角度を出来るだけ長く維持し、風向制御羽根が使用者の方に向いて直接風が当たる機会を極力少なくし、快適性を向上することができるという効果を奏する。
【００１３】
（実施の形態１）
図１は、本発明の実施の形態１における空気調和機の斜視図である。同図において、室内ユニット１は、室内側空気吸込み口２と吹き出し口３を持っている。また、室内ユニット１内には、送風機が内蔵されており（図示せず）、室内側空気吸込み口２から吸込まれた室内側空気は吹き出し口３から吹出される。このとき、吹き出し口３に設けられた風向制御羽根４により、吹出し空気の風向が任意に制御される。
【００１４】
また、図２は本発明の実施の形態１における空気調和機の制御フローチャートである。図２に示すように、スタートより動作が始まって、ステップ１で室外ユニットの外気温度センサが３０℃未満である事を検知した時ステップ２へ進み、室内ファンモーター２の速度がＬｏ以下であると判定した時ステップ３へ進み、吸込み温度センサーがＴａ以上を検知した時ステップ４へ進み、吸込み温度センサーがＴｂ以上かどうかの判定を行い、Ｔｂ以上を検知した時ステップ５に進み、リモコン設定温度がＴｃ以上かどうかの判定を行い
、Ｔｃ以上を検知した時ステップ６に進み、タイマーカウントを行い、タイマーカウントから２０分後にステップ１１に進み、風向制御羽根を露付き防止制御時の位置に変更する。
【００１５】
ステップ５でＴｃ未満を検知した時はステップ７に進み、タイマーカウントを行い、タイマーカウントから４０分後にステップ１１に進み、風向制御羽根を露付き防止制御時の位置に変更する。ステップ４でＴａ以上Ｔｂ未満を検知した時はステップ８に進み、リモコン設定温度がＴｃ以上かどうかの判定を行い、Ｔｃ以上を検知した時ステップ９に進み、タイマーカウントを行い、タイマーカウントから２０分後にステップ１１に進み、風向制御羽根を露付き防止制御時の位置に変更する。ステップ８でＴｃ未満を検知した時はステップ１０に進み、タイマーカウントを行い、タイマーカウントから４０分後にステップ１１に進み、風向制御羽根を露付き防止制御時の位置に変更する。また、この制御をタイムチャートにすれば図３から図６のように表される。
【００１６】
次に、本発明における負荷の計算方法について説明する。図７は本発明の実施の形態１における空気調和機の負荷特性図である。同図に示すように、リモコン設定温度と室内側吸込み空気温度を検出し、検出値がＴ１℃未満を低負荷領域とし、Ｔ１℃以上Ｔ２℃未満を中負荷領域とし、Ｔ３℃以上を高負荷領域としている。
【００１７】
そして、負荷が中負荷領域に入ったとき、風向制御羽根の角度を第１の羽根角度とし、さらに負荷が大負荷領域に入ったとき、風向制御羽根の角度を第１の羽根角度よりも下向きの第２の羽根角度とする。
【００１８】
前記構成をなすことにより、使用者の設定した羽根角度を出来るだけ長く維持し、風向制御羽根が使用者の方に向いて直接風が当たる機会を極力少なくし、快適性を向上することが出来る。
【００１９】
なお、本実施の形態は分離型空気調和機について説明したが、一体型空気調和機についても適用できることは言うまでもない。
【図面の簡単な説明】
【００２０】
【図１】本発明の実施の形態１における空気調和機の斜視図
【図２】本発明の実施の形態１における空気調和機の制御フローチャート
【図３】本発明の実施の形態１における空気調和機の制御タイムチャート（１）
【図４】本発明の実施の形態１における空気調和機の制御タイムチャート（２）
【図５】本発明の実施の形態１における空気調和機の制御タイムチャート（３）
【図６】本発明の実施の形態１における空気調和機の制御タイムチャート（４）
【図７】本発明の実施の形態１における空気調和機の負荷特性図
【図８】従来の空気調和機の構成図
【図９】従来の空気調和機の露付き防止制御のタイムチャート
【符号の説明】
【００２１】
１  室内ユニット
２  室内側空気吸込み口
３  室内側空気吹き出し口
４  室内側風向制御羽根
５  制御装置
６  室内機
７  室内側吸込み温度センサー
８  室外側吸込み温度センサー
９  圧縮機
１０  リモコン受信部
１１  リモコン
【図１】
2005257192.tif 000003
【図２】
2005257192.tif 000004
【図３】
2005257192.tif 000005
【図４】
2005257192.tif 000006
【図５】
2005257192.tif 000007
【図６】
2005257192.tif 000008
【図７】
2005257192.tif 000009
【図８】
2005257192.tif 000010
【図９】
2005257192.tif 000011